(57)【要約】【課題】ライナーを確実に係止してキャップからの抜け外れを防止するとともに、キャップを開栓したときの内容物の飛沫の漏出を防ぎ、ネジ付きのボトル缶等において内容物が雄ネジ部に付着してもベントホールから注入した洗浄水によって確実に洗浄する。【解決手段】天板部２と周壁部３が一体成形されたキャップ本体１と、天板部２の内面２ａに配設されるライナー４とを備え、周壁部３の天板部２寄りの部分には、周方向にスリット状に延びるベントホール１１と、このベントホール１１の上部開口部および下部開口部を半径方向内周側に曲折した上フック部１２および下フック部１３とを有するフック部１４が形成され、フック部１４における上フック部１２の内周端１２ａは、ライナー４の外周縁より半径方向内周側に位置しているとともに、下フック部１３の内周端１３ａよりも半径方向内周側に位置している。【選択図】図３
2018177335.tif 000002
【特許請求の範囲】
【請求項１】
キャップ中心線を中心とした円板状の天板部と、この天板部の外周から上記キャップ中心線を中心として円筒状に延びる周壁部とが一体に成形されたキャップ本体と、
このキャップ本体の上記天板部の内面に配設される円板状のライナーとを備えたキャップであって、
上記キャップ本体の上記周壁部における上記天板部寄りの部分には、周方向にスリット状に延びるベントホールと、このベントホールの上部開口部および下部開口部を上記キャップ中心線に対する半径方向内周側に曲折した上フック部および下フック部とを有するフック部が形成されており、
上記フック部における上記上フック部の内周端は、上記ライナーの外周縁より上記半径方向内周側に位置しているとともに、上記下フック部の内周端よりも上記半径方向内周側に位置していることを特徴とするキャップ。
【請求項２】
上記フック部における上記上フック部の内周端は、上記下フック部の内周端よりも、上記ライナーの外周縁の厚さ以下の範囲で上記半径方向内周側に位置していることを特徴とする請求項１に記載のキャップ。
【請求項３】
請求項１または請求項２に記載のキャップを、ボトル本体のキャップ取付部に取り付けたことを特徴とするキャップ付きボトル。
【発明の詳細な説明】
【技術分野】
【０００１】
本発明は、ボトル缶等のボトルの口部に取り付けられるキャップ、およびこのキャップを取り付けたキャップ付きボトルに関するものである。
【背景技術】
【０００２】
このようなキャップおよびキャップ付きボトルとして、特許文献１には、上方に配された天板部と、この天板部の周縁から略垂下されてなる円筒部とを備え、天板部の内面にライナーが非接着状態で挿入された後にボトルの口部を密栓する金属キャップであって、円筒部が、天板部近傍であって周方向にスリット状に開口形成され開栓時に内圧を開放するベントホールと、このベントホールの上部開口端部および下部開口端部を円筒部の半径方向内方に向けて曲げて形成した上部突起部および下部突起部とを有し、上部突起部の先端が、挿入された際のライナーの外周縁よりも半径方向内方に位置されているとともに、下部突起部の先端と半径方向で同位置または該先端よりも半径方向外方に位置している金属キャップ、およびこのような金属キャップがボトル本体の口部に被着されたキャップ付きボトルが記載されている。
【先行技術文献】
【特許文献】
【０００３】
【特許文献１】特開２０１１−２４０９３７号公報
【発明の概要】
【発明が解決しようとする課題】
【０００４】
ところが、上記特許文献１に記載されたキャップでは、ライナーが非接着状態で挿入される天板部の内面から離れた下部突起部の先端が上部突起部の先端と半径方向に同位置、または上部突起部の先端よりも半径方向内側に位置することになるので、上部突起部の先端がライナーの外周縁より半径方向内側に位置していても、この上部突起部によってライナーを確実に係止することが困難となってライナーがキャップから抜け外れてしまうおそれがある。
【０００５】
また、キャップの開栓時には、上述のようにベントホールからボトル内のガスの内圧が開放されるが、このとき特許文献１に記載されたキャップのようにベントホールの上部突起部の先端が下部突起部の先端よりも半径方向外側に位置していると、内圧が開放されたボトル内のガスと一緒に排出された飲料等のボトルの内容物が、下部突起部の内面からベントホールを通って飛沫として漏れ出てしまい、開栓した人の手を汚してしまうおそれもある。
【０００６】
さらに、上記ボトルが口部に雄ネジ部が形成されたネジ付きのボトル缶等であり、キャップには上記雄ネジ部に螺合する雌ネジ部が形成されている場合、ボトルへの内容物の充填時に雄ネジ部に付着した飲料等を、キャップ取付後にベントホールから注入した洗浄水によって洗浄しようとしても、上部突起部の先端が下部突起部の先端よりも半径方向外側に位置しているため、ベントホールを通して洗浄水を下部突起部の内面から雄ネジ部に注入することが困難でもある。
【０００７】
本発明は、このような背景の下になされたもので、ライナーを確実に係止してキャップからの抜け外れを防止することができるとともに、キャップを開栓したときにボトル内の内圧が開放されても内容物の飛沫の漏出によって手を汚すこともなく、さらにネジ付きのボトル缶等において内容物が雄ネジ部に付着しても、ベントホールから注入した洗浄水によって確実に洗浄することが可能なキャップおよびキャップ付きボトルを提供することを目的としている。
【課題を解決するための手段】
【０００８】
上記課題を解決して、このような目的を達成するために、本発明のキャップは、キャップ中心線を中心とした円板状の天板部と、この天板部の外周から上記キャップ中心線を中心として円筒状に延びる周壁部とが一体に成形されたキャップ本体と、このキャップ本体の上記天板部の内面に配設される円板状のライナーとを備えたキャップであって、上記キャップ本体の上記周壁部における上記天板部寄りの部分には、周方向にスリット状に延びるベントホールと、このベントホールの上部開口部および下部開口部を上記キャップ中心線に対する半径方向内周側に曲折した上フック部および下フック部とを有するフック部が形成されており、上記フック部における上記上フック部の内周端は、上記ライナーの外周縁より上記半径方向内周側に位置しているとともに、上記下フック部の内周端よりも上記半径方向内周側に位置していることを特徴とする。
【０００９】
また、本発明のキャップ付きボトルは、このようなキャップを、ボトル本体のキャップ取付部に取り付けたことを特徴とする。
【００１０】
このように構成されたキャップおよびキャップ付きボトルにおいては、特許文献１に記載されたキャップおよびキャップ付きボトルとは逆に、キャップにおけるフック部において、ベントホールの上部開口部をキャップ中心線に対する半径方向内周側に曲折した上フック部の内周端が、下部開口部を上記半径方向内周側に曲折した下フック部の内周端よりも内周側に位置しており、すなわち上フック部が下フック部よりも半径方向内周側に突出している。
【００１１】
そして、この上フック部の内周端は、ライナーの外周縁より上記半径方向内周側に位置しているので、この上フック部によりライナーは係止されて抜け止めされることになる。従って、ライナーが配設されるキャップ本体の天板部により近い位置でライナーを係止することができるので、上記構成のキャップ、およびこのキャップをボトル本体のキャップ取付部に取り付けたキャップ付きボトルによれば、ライナーを確実に係止してキャップ本体から抜け外れるのを防止することが可能となる。
【００１２】
また、こうして上フック部の内周端が下フック部の内周端よりも内周側に位置していることにより、キャップ中心線に沿った断面において上フック部の内周面も、その下端では下フック部の内周端よりも半径方向内周側に位置することになる。このため、キャップの開栓時にベントホールからボトル内のガスの内圧が開放されたときに、ガスはベントホールから排出される一方で、ガスと一緒に排出されようとする内容物は上フック部の内周面によって案内してキャップ本体内に留まらせることができ、内容物がガスとともに飛沫となってベントホールから漏れ出ることにより開栓した人の手が汚れてしまうのを防ぐことが可能となる。
【００１３】
さらに、上フック部の内周端が下フック部の内周端よりも内周側に位置しているので、キャップをネジ付きのボトル缶等のボトル本体におけるキャップ取付部に取り付けた状態で、洗浄水をベントホールに向けて噴射すると、洗浄水は半径方向内周側に曲折させられた上フック部の外周面を伝わってベントホールからボトル本体のキャップ取付部の雄ネジ部に注入される。このため、ボトルへの内容物の充填時に雄ネジ部に付着した飲料等を洗浄水によって確実に洗浄することができる。
【００１４】
なお、上フック部の内周端が下フック部の内周端よりも半径方向内周側に突出しすぎていると、キャップ本体の天板部の内面側にライナーを挿入して配設する際にライナーが上フック部の内周端に引っ掛かってしまうおそれがある。このため、上記フック部における上フック部の内周端は、下フック部の内周端よりも、上記ライナーの外周縁の厚さ以下の範囲で上記半径方向内周側に位置していることが望ましく、このような範囲で上フック部の内周端が下フック部の内周端よりも突出している程度であれば、下フック部の内周面によってライナーの外周縁をガイドすることにより、上フック部と天板部の内面との間にライナーを円滑に案内して配設する効果も期待することができる。
【発明の効果】
【００１５】
以上説明したように、本発明によれば、フック部においてライナーを確実にキャップ本体に係止して抜け外れを防ぐことができるとともに、キャップを開栓したときにボトル内の内圧が開放されてもガスとともに内容物が飛沫として漏れ出して開栓した人の手が汚れるのも防止することができ、さらにネジ付きのボトル缶等において内容物が充填時に雄ネジ部に付着したとしても、ベントホールから洗浄水を注入することによって確実に洗浄することが可能となる。
【図面の簡単な説明】
【００１６】
【図１】本発明のキャップの一実施形態を示すキャップ本体の一部破断側断面図である。
【図２】図１に示す実施形態を天板部の内面（下面）側から見た底面図である。
【図３】図１におけるＸ部分の拡大断面図（または、図４におけるＺＺ断面図）である。
【図４】図２におけるＹ部分の拡大底面図である。
【発明を実施するための形態】
【００１７】
図１ないし図４は、本発明の一実施形態を示すものである。本実施形態のキャップは、雄ネジ部が形成されたキャップ取付部を有するネジ付きボトル缶用のキャップであって、アルミニウムまたはアルミニウム合金等の金属材料により形成されてキャップ中心線Ｏを中心とした有底円筒状のキャップ本体１を備えている。すなわち、このキャップ本体１においては、円板状の天板部２と、この天板部２の外周からキャップ本体１の下端側（図１および図４において下側）に向けて上記キャップ中心線Ｏを中心とする円筒状に延びる周壁部３とが一体に成形されている。
【００１８】
また、天板部２の内面（下面）２ａには、樹脂製の円板状のライナー４が配設される。このライナー４は、ポリエチレンまたはポリプロピレンを主とする硬質樹脂製で天板部２側に内面２ａと非接着状態で配置される大径の摺動層４ａと、この摺動層４ａの天板部２とは反対側に直接またはバリア層等の中間層を介して配置されるエラストマー樹脂の摺動層４ａよりも軟質な樹脂製で小径の密封層４ｂとを備えた多層構造とされている。摺動層４ａは厚さが略均一な平板状とされる一方、密封層４ｂは外周縁部が厚肉で内周部は天板部２側に凹んだ薄肉とされ、これら内周部と外周縁部との間の段差部は内周側に向かうに従い天板部２側に向かうテーパ面状とされている。
【００１９】
キャップ本体１の周壁部３には、天板部２寄りの上端部側に、下端側に向けてキャップ中心線Ｏに対する外周側に膨らむナール５と、このナール５の下端に連なり、ナール５のよりも外径が小径のグルーブ６とが形成されている。一方、天板部２とは反対側の周壁部３の下端部側には、上端部側から下端部側に向けて順に、やはり外周側に膨らむビード７と、このビード７よりも外径が小径の破断容易部８と、この破断容易部８よりも外径が大径とされてキャップ本体１の下端に延びる円筒状のフレア（開放端部）９とが形成されている。
【００２０】
破断容易部８には、側面視に周方向に延びてキャップ中心線Ｏに対する半径方向内周側に凹むスリット部８ａが周方向に等間隔をあけて複数形成されるとともに、これらのスリット部８ａの間の部分はブリッジ部８ｂとされている。スリット部８ａには、該スリット部８ａの上端部側の長辺に、周壁部３を貫通するスリット８ｃが形成されている。また、フレア９は、ボトル缶の上記キャップ取付部へのキャッピングの際に、キャップ取付部の雄ネジ部の下端部側に形成された膨出部の下端部に裾巻きされる。
【００２１】
さらに、周壁部３の上端部側のグルーブ６と下端部側のビード７との間の部分は、ボトル缶の上記キャップ取付部へのキャッピングの際にキャップ取付部の雄ネジ部に螺合する雌ネジ部が形成される雌ネジ形成予定部１０とされている。この雌ネジ形成予定部１０の外径は、はグルーブ６の外径よりも大きく、ビード７の外径よりは小さな略一定の外径とされている。
【００２２】
一方、ナール５には、キャップ本体１の周壁部３が内周側に凹まされるように成形されたナール凹部５ａが、周方向に等間隔をあけて複数（本実施形態では１２）形成されている。これらのナール凹部５ａは、ボトル缶にキャッピングされたキャップ本体１を開栓するときに、キャップ本体１とこれを把持する指との摩擦抵抗を増大させるためのものであり、これにより手を滑られることなく容易に開栓が可能となる。
【００２３】
さらに、周方向においてこれらのナール凹部５ａの間には、外周側から見て図１に示すような涙的形、または円形や楕円形をなし、同じくキャップ本体１の内周側に凹まされるようにして、周方向にスリット状に延びて図３に示すように周壁部３を貫通するベントホール１１と、このベントホール１１の上部開口部および下部開口部をキャップ中心線Ｏに対する半径方向内周側（図３において右側）に曲折した上フック部１２および下フック部１３とを有するフック部１４が形成されている。このフック部１４も、本実施形態ではやはり周方向に等間隔を開けるとともに、ナール凹部５ａとも周方向に等間隔を開けて交互に複数形成されている。
【００２４】
そして、同じく上記図３に示すように、このフック部１４における上フック部１２の内周端１２ａは、ライナー４をキャップ中心線Ｏと同軸に配置した状態で、このライナー４の外周縁（摺動層４ａの外周縁）より半径方向内周側に位置しているとともに、下フック部１３の内周端１３ａよりも半径方向内周側に位置している。すなわち、フック部１４における上フック部１２の内周端１２ａは、下フック部１３の内周端１３ａよりも半径方向内周側に突出している。
【００２５】
なお、本実施形態では、下フック部１３の内周端１３ａもライナー４の外周縁（摺動層４ａの外周縁）より半径方向内周側に位置している。また、この下フック部１３の内周端１３ａと、上フック部１２の内周端１２ａとは、ライナー４の密封層４ｂの外周縁よりは半径方向外周側に位置している。さらに、キャップ中心線Ｏ方向に下端部側から見て上述のように内周側に突出することになる上フック部１２の内周端１２ａの下フック部１３の内周端１３ａからの突出量δは、ライナー４の外周縁である摺動層４ａの厚さ（例えば、０．４５ｍｍ）以下の範囲とされている。
【００２６】
ここで、本実施形態では図３に示すように、下フック部１３はベントホール１１の下部開口部を外周側に凸曲するようにして半径方向内周側に折り曲げられているだけであるのに対し、上フック部１２はベントホール１１の上側開口部を外周側に凸曲するように半径方向内周側に大きく折り曲げた後、その下端部を上端部に対して外周側に凹曲するように下向きに折り曲げつつ下端部側に向かうに従い半径方向内周側に延びるように形成されている。また、本実施形態では、すべてのフック部１４において、上フック部１２の内周端１２ａが下フック部１３の内周端１３ａよりも半径方向内周側に位置するように突出している。
【００２７】
このようなボトル缶用キャップのキャップ本体１を製造するには、まず上記アルミニウムまたはアルミニウム合金等の金属材料よりなる所定の元板厚の圧延板材を円板状のブランク材に打ち抜き、このブランク材の外周部を、円形孔を有するダイの上面に配置して上記円形孔と同軸の円形孔を有する押さえとの間に挟み込んで支持するとともに、押さえの円形孔からダイの円形孔に円柱状のパンチを挿入することにより絞り込んで有底円筒状のキャップシェルを成形する。
【００２８】
このとき、キャップ本体１の天板部２となるキャップシェルの天板部の厚さは、圧延板材の元板厚と略等しくなる。また、このキャップシェルを成形する際に、同時にキャップシェルの開放端部をトリミングしてキャップ中心線Ｏ方向の高さを揃える。しかる後、このキャップシェルの周壁部に、ナール凹部５ａとフック部１４を備えたナール５と、グルーブ６、ビード７、スリット部８ａを備えた破断容易部８、フレア９、および雌ネジ形成予定部１０とを成形することにより、上述のようなキャップ本体１が製造される。
【００２９】
また、このようなキャップ本体１の天板部２の内面２ａにライナー４を配設するには、例えば予め上述のような多層構造とされて円板状に切断されたライナー４を、弾性変形しつつフック部１４の上フック部１２の内周端１２ａと下フック部１３の内周端１３ａとの間を通して、キャップ本体１内の天板部２の内面２ａ側に挿入する。あるいは、特許文献１に記載されているように、円板状に切断したライナー４の摺動層４ａをキャップ本体１内の天板部２の内面２ａ側に挿入した上で、モールド成形用の金型をキャップ本体１内に挿入し、この金型によって密封層４ｂをモールド成形する。もしくは、例えば特開２０１５−００３３２５号公報に記載されているように、ライナー４の摺動層４ａと密封層４ｂとを、それぞれモールド成形用の金型を用いてこの順にモールド成形してもよい。
【００３０】
さらに、このようにしてライナー４が配設されたキャップ本体１をボトル缶等のボトル本体にキャッピングして本発明の一実施形態のキャップ付きボトルを製造するには、飲料等の内容物が充填されたボトル本体のキャップ取付部にキャップ本体１を被せて、天板部２の上面外周部をキャッピング装置のプッシャーブロックによってキャップ取付部の開口縁に押圧して絞り加工することにより、ライナー４の密封層４ｂのうち厚肉とされた外周縁部を開口縁に圧着する。
【００３１】
そして、この状態のまま、キャッピング装置の裾巻きローラによってキャップ本体１のフレア９をキャップ取付部の上記膨出部の下端部に裾巻きするとともに、ボトル本体がキャップ取付部に雄ネジ部を有しているネジ付きのボトル缶等の場合には、ネジ切りローラをこの雄ネジ部のネジ谷部に沿って螺旋状に移動させることにより、キャップ本体１の雌ネジ形成予定部１０に雌ネジ部を成形する。これにより、キャップ本体１がキャップ取付部に螺着されてボトル本体内が封止され、本発明の一実施形態のキャップ付きボトルが製造される。
【００３２】
上記構成のキャップ、およびこのキャップを上述のようにボトル本体のキャップ取付部に取り付けたキャップ付きボトルでは、キャップにおけるフック部１４において、ベントホール１１の上部開口部をキャップ中心線Ｏに対する半径方向内周側に曲折した上フック部１２の内周端１２ａが、下部開口部を半径方向内周側に曲折した下フック部１３の内周端１３ａよりも内周側に位置していて、上フック部１２が下フック部１３よりも半径方向内周側に突出しており、この上フック部１２の内周端１２ａは、上フック部１２とキャップ本体１の天板部２の内面２ａとの間に配設されるライナー４の外周縁より半径方向内周側に位置しているので、ライナー４は上フック部１２によって係止されて抜け止めされることになる。
【００３３】
このため、特許文献１に記載されたキャップのように、上部突起部の先端が下部突起部の先端と半径方向に同位置または半径方向外周側に位置しているのに比べ、ライナー４が配設されるキャップ本体１の天板部２により近い位置でライナー４を確実に係止することができる。従って、キャッピングの際やキャッピングされたキャップを開栓した際などにライナー４がキャップ本体１から抜け外れるのを防止することが可能となり、キャップときボトルを製造するときや開栓したキャップを再びキャップ取付部に取り付けてリシール（閉栓）する際に、ボトル本体内を確実に封止することができる。
【００３４】
また、このようにフック部１４における上フック部１２の内周端１２ａが下フック部１３の内周端１３ａよりも内周側に位置しているのに伴い、内周端１２ａに連なる上フック部１２の内周面１２ｂも、その下端部の内周端１２ａ側では、キャップ中心線Ｏに沿った断面において図３に示したように、下フック部１３の内周端１３ａより半径方向内周側に位置することになる。
【００３５】
このため、キャップの開栓時にライナー４とキャップ取付部の開口縁との圧着が解かれることによりボトル本体内のガスの内圧が開口縁からベントホール１１を介して開放されるとき、ガス自体はベントホール１１から排出される一方で、ガスと一緒に排出されようとする飲料等の内容物は上フック部１２の内周面１２ｂによって案内してキャップ本体１内に留まらせることができ、内容物がガスとともに飛沫となってベントホール１１から漏れ出てしまって開栓した人の手が汚れてしまうのを防ぐことができる。
【００３６】
さらに、このようなキャップを上述のようにネジ付きのボトル缶のボトル本体におけるキャップ取付部に取り付ける場合、キャップ取り付け前にボトル本体内に飲料等の内容物を充填する際、内容物がキャップ取付部の開口部外周から雄ネジ部の上端部にかけて付着することがある。このような場合には、製造されたキャップ付きボトルの洗浄工程において洗浄水を噴射してベントホール１１から注入することにより、付着した内容物を洗浄した後に乾燥するようにしている。
【００３７】
ここで、そのような場合でも、上記構成のキャップおよびキャップ付きボトルにおいては、フック部１４において上フック部１２の内周端１２ａが下フック部１３の内周端１３ａよりも半径方向内周側に位置していることにより、キャップをキャップ取付部に取り付けた状態で洗浄水をベントホール１１に向けて噴射すると、洗浄水は半径方向内周側に曲折させられた上フック部１２の外周面１２ｃを伝わってベントホール１１からキャップ本体１の周壁部３とキャップ取付部の雄ネジ部との間に注入され易くなる。このため、上述のようにキャップ取付部に飲料等の内容物が付着しても、これを洗浄水によって確実に洗浄することが可能となる。
【００３８】
なお、こうして上フック部１２の内周端１２ａが下フック部１３の内周端１３ａより半径方向内周側に位置しているときに、内周端１２ａが内周端１３ａより半径方向内周側に突出しすぎていると、キャップ本体１の天板部２の内面２ａにライナー４を配設する際、上述のように予め多層構造とされて円板状に切断されたライナー４を弾性変形しつつ上フック部１２と天板部２との間に挿入する場合や、円板状に切断したライナー４の摺動層４ａをキャップ本体１内の天板部２の内面２ａ側に挿入した上でモールド成形用の金型によって密封層４ｂをモールド成形する場合に、ライナー４や摺動層４ａが上フック部１２の内周端１２ａに引っ掛かってしまうおそれがある。
【００３９】
このため、フック部１４における上フック部１２の内周端１２ａは、下フック部１３の内周端１３ａよりも、ライナー４の外周縁である本実施形態では摺動層４ａの厚さ以下の範囲で半径方向内周側に位置していることが望ましい。すなわち、予め多層構造とされたライナー４や単層のままの摺動層４ａをキャップ本体１内の天板部２の内面２ａと上フック部１２との間に挿入する場合、このライナー４の外周縁となる摺動層４ａが弾性変形されられて上フック部１２の内周端１２ａ内を通過するので、ライナー４の外周縁（本実施形態では摺動層４ａ）の厚さ以下の範囲内であれば、ライナー４の外周縁を通過させ易くなり、ライナー４や摺動層４ａを挿入する際の引っ掛かりを防止することができる。
【００４０】
また、このような範囲で上フック部１２の内周端１２ａが下フック部１３の内周端１３ａよりも突出している程度であれば、下フック部１３の内周面１３ｂによってライナー４や摺動層４ａの外周縁をガイドしつつ弾性変形させて、上フック部１２の内周端１２ａと天板部２の内面２ａとの間にライナー４や摺動層４ａを円滑に案内することもできる。さらに、図３に示したように上フック部１２の下端面１２ｄが半径方向内周側に向かうに従い天板部２側に向かうように傾斜していれば、この下端面１２ｄによってもライナー４や摺動層４ａをガイドすることができる。
【００４１】
なお、本実施形態では、キャップ本体１の周壁部３におけるナール５にナール凹部５ａとフック部１４とが周方向に交互かつ等間隔に形成されているが、これらナール凹部５ａやフック部１４が形成されない非形成領域をナール５に設け、この非形成領域に、スリット５ｂやベントホール１１よりも周方向に長い弱化スリットや弱化スコアを形成したり、さらにこれら弱化スリットや弱化スコアに凹部によって薄肉化されたりスリット加工されたりして周囲よりもさらに弱化された開口基点部を設けたりしてもよい。このような弱化スリットや弱化スコアを設けることにより、キャップを一旦開栓してから閉栓した後にボトル内の内容物が腐敗したり発酵したりして内圧が上昇したときでも、弱化スリットや弱化スコアが押し広げられることにより内部のガスを放出する、防爆機能をキャップ本体１に付与することができる。
【実施例】
【００４２】
次に、本発明の実施例を挙げて、本発明の効果について実証する。本実施例では、元板厚０．２５ｍｍのアルミニウム合金製の圧延板材を円板状に打ち抜いたブランク材から外径３８ｍｍのキャップシェルを成形し、このキャップシェルの周壁部に、ナール凹部５ａとフック部１４を備えたナール５と、グルーブ６、ビード７、スリット部８ａを備えた破断容易部８、フレア９、および雌ネジ形成予定部１０とを成形することによって上記実施形態に基づくキャップ本体１を製造した。
【００４３】
このとき、フック部１４における上フック部１２の内周端１２ａの下フック部１３の内周端１３ａからの半径方向内周側への突出量δを０．１ｍｍ、０．２ｍｍ、０．２５ｍｍとした３種のキャップ本体１をそれぞれ３０個ずつ製造した。これらを、突出量δが小さいものから順に実施例１〜３とする。なお、キャップ本体１における天板部２の厚さは、キャップシェルに成形される圧延板材の元板厚と等しい０．２５ｍｍであり、実施例１〜３の突出量δは、この天板部２の厚さ以下の範囲で、ライナー４の外周縁の厚さ（摺動層４ａの厚さ）０．４５ｍｍよりも小さい範囲であった。
【００４４】
また、これら実施例１〜３に対する比較例として、特許文献１に記載されたキャップに基づき、フック部における上フック部の内周端と下フック部の内周端が半径方向に等しい位置にあって、すなわち上記実施形態における突出量δが０ｍｍのものと、フック部における上フック部の内周端が下フック部の内周端よりも半径方向外周側に０．２ｍｍの位置にあって、すなわち上記実施形態における突出量δが−０．２ｍｍのものも、実施例１〜３と同数製造した。これらも突出量δが小さいものから順に比較例１、２とする。
【００４５】
そして、このような実施例１〜３および比較例１、２のキャップにおいて、キャップ本体１の天板部２の内面２ａとフック部１４における上フック部１２との間に、予め摺動層４ａと密封層４ｂとが多層構造に積層されたライナー４を挿入してから、ネジ付きボトル缶のボトル本体におけるキャップ取付部にキャッピングし、このキャップを開栓した後のライナー４のフック部１４からの外れ易さを、フック外れ度数という指標を用いて比較して良否を判定した。
【００４６】
なお、これら実施例１〜３および比較例１、２では、下フック部１３の内周端１３ａの半径方向の位置（キャップ中心線Ｏからの半径）は同じで、上フック部１２の内周端１２ａの位置が異なっている。また、ライナー４は、キャップ中心線Ｏと同軸に配設した状態で、摺動層４ａの外周縁が下フック部１３の内周端１３ａよりも半径方向外周側に０．４ｍｍの位置となるものであった。
【００４７】
ここで、フック外れ度数は、特許文献１に記載されているのと同様に、開栓したキャップを目視して、上記実施形態のように１つのキャップ本体１において１２のフック部１４のうちライナー４が外れたフック部１４の数とキャップの数（缶数）との積を総和したものを、評価したキャップの総数（缶の総数）で除した度数であり、すなわち平均して１つのキャップで幾つのフック部１４が外れたかを示すものである。
【００４８】
この結果を、突出量δと併せて表１に示すとともに、良否の判定についても、特許文献１と同じくフック外れ度数が１．０以上のものをライナー４が外れるおそれがあるものとしてバツ印とし、１．０未満で０．４以上のものをライナー４が外れるおそれは無いものの外観不良となるおそれがあるものとして三角印とし、０．４未満のものをライナー４の外れや外観不良のおそれもないものとして丸印として表１に示す。
【００４９】
さらに、これら実施例１〜３および比較例１、２では、それぞれ１０缶の缶本体に実際に内容物を充填してキャッピングを行い、内圧を高めた状態で開栓したときに内容物がベントホール１１からガスとともに飛沫となって漏れ出したキャップの数も測定した。ここで、缶本体としては容量３００ｍｌのアルミニウム合金製のネジ付きボトル缶を用いて、内容物として２７５ｍｌのコーヒーを充填し、０．１ＭＰａの内圧をかけた状態でキャッピングを行った。
【００５０】
次いで、こうしてキャッピングしたキャップ付きボトルを常温で１ストローク約１０ｃｍを約５秒で上下に５回振り、キャップ中心線Ｏが鉛直方向を向くように正置した後、キャップにティッシュペーパーを被せて開栓し、その際に内容物が漏れ出してティッシュペーパーに付着したキャップの数を確認した。この結果も、表１に合わせて示す。
【００５１】
【表１】
2018177335.tif 000003
【００５２】
この表１の結果より、フック外れ度数については、実施例１〜３および比較例１、２ともに１．０以上でライナー４が外れるおそれがあるものは無かったが、比較例１、２ではフック外れ度数がいずれも０．５であって、外観的に不良となる評価であった。これに対して、本発明に係わる実施例１、２ではフック外れ度数は０．１であって外観不良となることもなく、さらに実施例３ではフック外れ度数が０であり、すなわち３０個のキャップ本体１の各１２ずつのフック部１４すべてにおいて、１つもフック外れを生じることは無かった。
【００５３】
また、内容物の漏れ出しについても、比較例１、２では１０個中１つのキャップにおいて漏れ出しが確認されたのに対し、本発明に係わる実施例１〜３では漏れ出しが確認されたキャップは１つも無かった。
【符号の説明】
【００５４】
１  キャップ本体
２  天板部
２ａ  天板部２の内面
３  周壁部
４  ライナー
４ａ  摺動層
４ｂ  密封層
５  ナール
５ａ  ナール凹部
６  グルーブ
７  ビード
８  破断容易部
９  フレア
１０  雌ネジ形成予定部
１１  ベントホール
１２  上フック部
１２ａ  上フック部１２の内周端
１３  下フック部
１３ａ  下フック部１３の内周端
１４  フック部
Ｏ  キャップ中心線
δ  上フック部１２の内周端１２ａの下フック部１３の内周端１３ａに対する半径方向内周側への突出量
【図１】
2018177335.tif 000004
【図２】
2018177335.tif 000005
【図３】
2018177335.tif 000006
【図４】
2018177335.tif 000007
【手続補正書】
【提出日】平成29年5月16日(2017.5.16)
【手続補正１】
【補正対象書類名】明細書
【補正対象項目名】００１７
【補正方法】変更
【補正の内容】
【００１７】
図１ないし図４は、本発明の一実施形態を示すものである。本実施形態のキャップは、雄ネジ部が形成されたキャップ取付部を有するネジ付きボトル缶用のキャップであって、アルミニウムまたはアルミニウム合金等の金属材料により形成されてキャップ中心線Ｏを中心とした有底円筒状のキャップ本体１を備えている。すなわち、このキャップ本体１においては、円板状の天板部２と、この天板部２の外周からキャップ本体１の下端側（図１および図３において下側）に向けて上記キャップ中心線Ｏを中心とする円筒状に延びる周壁部３とが一体に成形されている。
【手続補正２】
【補正対象書類名】明細書
【補正対象項目名】００２１
【補正方法】変更
【補正の内容】
【００２１】
さらに、周壁部３の上端部側のグルーブ６と下端部側のビード７との間の部分は、ボトル缶の上記キャップ取付部へのキャッピングの際にキャップ取付部の雄ネジ部に螺合する雌ネジ部が形成される雌ネジ形成予定部１０とされている。この雌ネジ形成予定部１０の外径は、グルーブ６の外径よりも大きく、ビード７の外径よりは小さな略一定の外径とされている。
【手続補正３】
【補正対象書類名】明細書
【補正対象項目名】００２２
【補正方法】変更
【補正の内容】
【００２２】
一方、ナール５には、キャップ本体１の周壁部３が内周側に凹まされるように成形されたナール凹部５ａが、周方向に等間隔をあけて複数（本実施形態では１２）形成されている。これらのナール凹部５ａは、ボトル缶にキャッピングされたキャップ本体１を開栓するときに、キャップ本体１とこれを把持する指との摩擦抵抗を増大させるためのものであり、これにより手を滑らせることなく容易に開栓が可能となる。
【手続補正４】
【補正対象書類名】明細書
【補正対象項目名】００２３
【補正方法】変更
【補正の内容】
【００２３】
さらに、周方向においてこれらのナール凹部５ａの間には、外周側から見て図１に示すような涙滴形、または円形や楕円形をなし、同じくキャップ本体１の内周側に凹まされるようにして、周方向にスリット状に延びて図３に示すように周壁部３を貫通するベントホール１１と、このベントホール１１の上部開口部および下部開口部をキャップ中心線Ｏに対する半径方向内周側（図３において右側）に曲折した上フック部１２および下フック部１３とを有するフック部１４が形成されている。このフック部１４も、本実施形態ではやはり周方向に等間隔を開けるとともに、ナール凹部５ａとも周方向に等間隔を開けて交互に複数形成されている。
【手続補正５】
【補正対象書類名】明細書
【補正対象項目名】００３３
【補正方法】変更
【補正の内容】
【００３３】
このため、特許文献１に記載されたキャップのように、上部突起部の先端が下部突起部の先端と半径方向に同位置または半径方向外周側に位置しているのに比べ、ライナー４が配設されるキャップ本体１の天板部２により近い位置でライナー４を確実に係止することができる。従って、キャッピングの際やキャッピングされたキャップを開栓した際などにライナー４がキャップ本体１から抜け外れるのを防止することが可能となり、キャップ付きボトルを製造するときや開栓したキャップを再びキャップ取付部に取り付けてリシール（閉栓）する際に、ボトル本体内を確実に封止することができる。